(57)【特許請求の範囲】
【請求項１】
情報記録媒体が備えるリードインエリアの少なくとも一部に、所定のデータを、記録されたデータがユーザデータであることを示すデータエリア属性を付与しながら記録するリードインエリア記録手段と、
前記情報記録媒体が備えるユーザデータエリアに、ユーザデータを、前記データエリア属性を付与しながら記録する第１記録手段と、
前記第１記録手段による前記ユーザデータの記録が完了した後、記録済みの前記ユーザデータの終端部に続けて、当該位置が記録済みの前記ユーザデータの終端部であることを示すマーカを、該マーカが記録されているか否かを少なくとも示す所定のフラグビットを第１の値に設定しつつ且つ前記データエリア属性を付与しながら記録する第２記録手段と、
新たに前記ユーザデータを記録する際に、前記ユーザデータエリアの前記マーカが記録されている位置より、前記ユーザデータを記録する第３記録手段と
を備えることを特徴とする情報記録装置。
【請求項２】
前記マーカは、当該位置が記録済みの前記ユーザデータの終端部であることに加えて、当該位置が次に前記ユーザデータの記録を開始するエリア部分であることを示すことを特徴とする請求項１に記載の情報記録装置。
【請求項３】
前記マーカは、夫々が複数の単位セクタを含む複数の単位ブロックを含んでおり、
前記データエリア属性は、前記複数の単位セクタの夫々に付与され、
前記フラグビットは、前記複数の単位セクタの夫々に設けられ、
前記第２記録手段は、前記複数の単位セクタの少なくとも一部に設けられる前記フラグビットが前記第１の値に設定されたマーカを記録することを特徴とする請求項１に記載の情報記録装置。
【請求項４】
前記第２記録手段は、前記複数の単位セクタのうち、前記複数の単位ブロックの夫々の始端部及び終端部の夫々に位置する単位セクタに設けられる前記フラグビットが前記第１の値とは異なる第２の値に設定され且つ前記複数の単位ブロックの夫々の始端部及び終端部の夫々に位置する単位セクタ以外の単位セクタに設けられる前記フラグビットが前記第１の値に設定された前記マーカを記録することを特徴とする請求項３に記載の情報記録装置。
【請求項５】
前記マーカは、夫々が複数の単位セクタを含む複数の単位ブロックを含んでおり、
前記データエリア属性は、前記複数の単位セクタの夫々に付与され、
前記フラグビットは、前記複数の単位セクタの夫々に設けられ、
前記第２記録手段は、前記複数の単位セクタの夫々に設けられる前記フラグビットが前記第１の値に設定されたマーカを記録することを特徴とする請求項１に記載の情報記録装置。
【請求項６】
前記第１記録手段は、前記フラグビットが前記第１の値とは異なる第２の値に設定された前記ユーザデータを記録することを特徴とする請求項１に記載の情報記録装置。
【請求項７】
前記フラグビットは、当該情報記録装置により読み込み可能であり、且つ当該情報記録媒体に記録された前記ユーザデータを再生する再生専用型の情報再生装置により読み込み不可能であることもしくは読み込んでも無視されることを特徴とする請求項１に記載の情報記録装置。
【請求項８】
前記フラグビットは、リンキングデータが記録されているか否かを少なくとも示すデータタイプビットであることを特徴とする請求項１に記載の情報記録装置。
【請求項９】
前記ユーザデータが記録される第１のエリア部分においては、前記フラグビットは、当該位置が前記ユーザデータの終端部であるか否かを示し、
前記ユーザデータが記録される第１のエリア部分以外の第２のエリア部分においては、前記フラグビットは、リンキングデータが記録されているか否かを示すことを特徴とする請求項１に記載の情報記録装置。
【請求項１０】
前記情報記録媒体は、夫々が前記ユーザデータエリアを備える第１記録層及び第２記録層を備えることを特徴とする請求項１に記載の情報記録装置。
【請求項１１】
情報記録媒体が備えるリードインエリアの少なくとも一部に、所定のデータを、記録されたデータがユーザデータであることを示すデータエリア属性を付与しながら記録するリードインエリア記録工程と、
前記情報記録媒体が備えるユーザデータエリアに、ユーザデータを、前記データエリア属性を付与しながら記録する第１記録工程と、
前記第１記録工程による前記ユーザデータの記録が完了した後、記録済みの前記ユーザデータの終端部に続けて、当該位置が記録済みの前記ユーザデータの終端部であることを示すマーカを、該マーカが記録されているか否かを少なくとも示す所定のフラグビットを第１の値に設定しつつ且つ前記データエリア属性を付与しながら記録する第２記録工程と、
新たに前記ユーザデータを記録する際に、前記ユーザデータエリアの前記マーカが記録されている位置より、前記ユーザデータを記録する第３記録工程と
を備えることを特徴とする情報記録方法。
【請求項１２】
請求項１に記載の情報記録装置に備えられたコンピュータを制御する記録制御用のコンピュータプログラムであって、該コンピュータを、前記リードインエリア記録手段、前記第１記録手段、前記第２記録手段及び前記第３記録手段として機能させることを特徴とするコンピュータプログラム。
【発明の詳細な説明】
【技術分野】
【０００１】
本発明は、例えばＤＶＤ等の情報記録媒体、例えばＤＶＤレコーダ等の情報記録装置及び方法、並びにコンピュータをこのような情報記録装置として機能させるコンピュータプログラムの技術分野に関する。
【背景技術】
【０００２】
例えば、ＤＶＤ−ＲＯＭ（ＤＶＤ−Read Only Memory）、ＤＶＤ−Ｒ（ＤＶＤ−Recordable）、ＢＤ−ＲＯＭ（Blu-ray Disc−ＲＯＭ）等の情報記録媒体では、特許文献１、２等に記載されているように、同一基板上に複数の記録層が積層、または貼り合わされてなる多層型若しくはデュアルレイヤ型の光ディスク等の情報記録媒体も開発されている。そして、このようなデュアルレイヤ型、即ち、２層型の光ディスクのうち２層型のＤＶＤ−Ｒに記録を行う場合は、ＤＶＤレコーダ等の情報記録装置は、レーザ光の照射側から見て最も手前側（即ち、光ピックアップに近い側）に位置する記録層（本願では適宜「Ｌ０層」と称する）に対して記録用のレーザ光を集光することで、Ｌ０層に対してデータを熱変化記録方式（言い換えれば、非可逆記録方式）で記録し、Ｌ０層等を介して、レーザ光の照射側から見てＬ０層の奥側（即ち、光ピックアップから遠い側）に位置する記録層（本願では適宜「Ｌ１層」と称する）に対して該レーザ光を集光することで、Ｌ１層に対してデータを熱変化記録方式で記録することになる。【０００３】
【特許文献１】特開２０００−３１１３４６号公報
【特許文献２】特開２００１−２３２３７号公報
【発明の開示】
【発明が解決しようとする課題】
【０００４】
ここで、ユーザデータを記録する際には、該記録されたユーザデータの終端部に続けて、リードアウトエリア属性を有する中間マーカ（Intermediate Marker）を記録することが規格により定められている。中間マーカは、記録されたユーザデータの終端部を検出するために用いられる。具体的には、レーザ光を照射しながら中間マーカ付近をシークすれば、中間マーカと既に記録されているユーザデータとの境界を好適に認識することができる。特に、記録されたユーザデータの終端部のアドレスが記録されているＲＭＤ（Recording Management Data：記録管理データ）がディフェクト等に起因して読み取ることができなかった場合に、中間マーカを利用して、ＲＭＤの内容を復旧することができる。【０００５】
しかしながら、情報記録媒体上に記録されたユーザデータを論理的に消去するためのクイックフォーマット処理を複数回行うと、クイックフォーマット処理が行われるまでに記録されていた中間マーカとクイックフォーマット処理の後に新たに記録される中間マーカとが、情報記録媒体上に存在することになる。つまり、情報記録媒体上に複数の中間マーカが存在することになる。この場合、上述の如く中間マーカと既に記録されているユーザデータとの境界を認識することができたとしても、そこが本当に記録されているユーザデータの終端部であるか否かを判断することは困難又は不可能になる。【０００６】
加えて、中間マーカはリードアウト属性を有している。このため、例えば再生専用型の情報再生装置がリードアウト属性を有する中間マーカを検出した場合には、リードアウトエリアにレーザ光が照射されているものと誤認識するおそれがある。これにより、ユーザデータエリア中であっても、好適なサーチ動作を行うことができなくなり得るという技術的な問題点を有している。これは、ユーザデータエリア中に存在する中間マーカの数が多くなればなるほど、より顕著になる。【０００７】
本発明は、例えば上述した従来の問題点に鑑みなされたものであり、例えば中間マーカ等のマーカを記録しつつ、好適な記録動作及び再生動作を維持することを可能とならしめる情報記録装置及び方法、コンピュータをこのような情報記録装置として機能させるコンピュータプログラム、並びに情報記録媒体を提供することを課題とする。
【課題を解決するための手段】
【０００８】
（情報記録装置）
上記課題を解決するために、本発明の情報記録装置は、情報記録媒体が備えるリードインエリアの少なくとも一部に、所定のデータを、記録されたデータがユーザデータであることを示すデータエリア属性を付与しながら記録するリードインエリア記録手段と、前記情報記録媒体が備えるユーザデータエリアに、ユーザデータを、前記データエリア属性を付与しながら記録する第１記録手段と、前記第１記録手段による前記ユーザデータの記録が完了した後、記録済みの前記ユーザデータの終端部に続けて、当該位置が記録済みの前記ユーザデータの終端部であることを示すマーカ（例えば、後述の中間マーカ（Intermediate Marker））を、該マーカが記録されているか否かを少なくとも示す所定のフラグビット（例えば、後述のデータタイプビット）を第１の値（例えば、“１”）に設定しつつ且つ前記データエリア属性を付与しながら記録する第２記録手段と、新たに前記ユーザデータを記録する際に、前記ユーザデータエリアの前記マーカが記録されている位置より、前記ユーザデータを記録する第３記録手段とを備える。言い換えれば、情報記録媒体が備えるリードインエリアの少なくとも一部に、所定のデータを、記録されたデータがユーザデータであることを示すデータエリア属性を付与しながら記録するリードインエリア記録手段と、前記情報記録媒体が備えるユーザデータエリアに、前記データエリア属性を付与しながら前記ユーザデータを記録する第１記録手段と、記録済みの前記ユーザデータの終端部に続けて、当該位置が前記ユーザデータの終端部であるか否かを少なくとも示す所定のフラグビットが第１の値に設定されたマーカを、前記データエリア属性を付与しながら記録する第２記録手段と、新たに前記ユーザデータを記録する際に、前記ユーザデータエリアの前記マーカが記録されている位置より、前記ユーザデータを記録する第３記録手段とを備える。
【０００９】
本発明の情報記録装置によれば、リードインエリア記録手段の動作により、情報記録媒体上に備えられているリードインエリアの少なくとも一部に、所定のデータを記録することができる。このとき、リードインエリア記録手段は、記録されたデータがユーザデータであることを示すデータエリア属性を付与しながら所定のデータを記録する。また、第１記録手段の動作により、情報記録媒体上に備えられているユーザデータエリアに、例えば映像情報や音声情報等の各種情報を含むユーザデータを記録することができる。このとき、第１記録手段は、記録されたデータがユーザデータであることを示すデータエリア属性を付与しながら、ユーザデータを記録する。
【００１０】
本発明では特に、第２記録手段の動作により、既に記録済みのユーザデータの終端部（言い換えれば、既にユーザデータが記録されたエリア部分の終端部であって、次にユーザデータの記録開始するべきエリア部分）には、そこが終端部であることを示すためのマーカが記録される。マーカは、第１記録手段によるユーザデータの記録が完了した後に記録される。尚、ここでいう「記録済みのユーザデータ」とは、論理的に記録済みであるユーザデータ（つまり、記録管理情報により、その記録が管理されているユーザデータ）を示している。このマーカは、ユーザデータの属性と同じデータエリア属性が付与されながら記録される。更に、マーカは、記録されるデータがマーカであるか否かを少なくとも示す（言い換えれば、マーカが記録される位置がユーザデータの終端部であるか否かを少なくとも示す）フラグビットが第１の値（例えば、有効値等）に設定された状態で記録される。尚、フラグビットは、記録されるデータがマーカであるか否かを常に示す必要はなく、例えば情報記録媒体上の少なくとも一部において（具体的には、例えば少なくともユーザデータエリア中において）、記録されるデータがマーカであるか否かを示していれば足りる趣旨である。情報記録媒体上の他の一部においては、他の用途に用いられてもよい。
加えて、第３記録手段の動作により、新たにユーザデータを記録する際には、ユーザデータエリアのマーカが記録されている位置よりユーザデータが記録される。
【００１１】
このように、フラグビットに第１の値が設定されることにより、情報記録装置は、記録されるデータがマーカであるか否かを好適に認識することができる。このため、マーカを利用して、記録済みのユーザデータの終端部を好適に認識することができる。つまり、本発明に係る情報記録装置により記録されるマーカは、マーカとしての機能を好適に果たすことができる。【００１２】
そして、ユーザデータの属性と同じデータエリア属性をマーカに対して付与するため、マーカとしての機能を好適に果たしつつも、例えばマーカを検出することで、当該マーカがリードアウトエリア等の緩衝エリアであると誤認識してしまうおそれがなくなる。特に、情報記録媒体に記録されるユーザデータを再生する再生専用型の情報再生装置は、情報記録媒体上のサーチを行っている途中で緩衝エリアを検出すると、該緩衝エリアから抜け出すフェールセーフ機構を備えている。この場合、マーカが緩衝エリアであると誤認識するおそれがないため、ユーザデータエリア中においてフェールセーフ機構が誤って機能する恐れもなくなる。言い換えれば、情報再生装置は、リードインエリアやリードアウトエリアやミドルエリア等の緩衝エリアを用いて、好適にフェールセーフ機構を機能させることができる。このように、マーカに対してデータエリア属性以外の属性を付与していないため、マーカがユーザデータエリア中に記録されたとしても、当該マーカを検出することで本来意図しない動作が実行される不都合を好適に回避することができる。【００１３】
加えて、フォーマット処理が複数回行われれば、複数のマーカが（具体的には、フォーマット処理が行われる前に記録されていた古いマーカと、フォーマット処理が行われた後に新たに記録された新しいマーカとが）情報記録媒体上に並存し得る。このような場合であっても、当該マーカを検出することで本来意図しない動作が実行される不都合を好適に回避することができるため、例えばフォーマット処理の都度、マーカを消去する必要がないという利点も享受することができる。これは、情報記録装置の動作負荷を低減させることができるという利点につながる。更に、マーカを消去する必要がないという利点は、情報記録装置に発生し得る異常動作（例えば、電源断等）によって、マーカが意図せずして情報記録媒体上に残ってしまっている場合においても同様に享受することができる利点である。【００１４】
以上まとめると、本発明の情報記録装置によれば、例えば中間マーカ等のマーカを記録しつつ、好適な記録動作及び再生動作を維持することができる。【００１５】
本発明の情報記録装置の一の態様は、前記マーカは、夫々が複数の単位セクタ（例えば、後述の如く１６セクタ）を含む複数の単位ブロック（例えば、後述の如く３２ＥＣＣブロック）を含んでおり、前記データエリア属性は、前記複数の単位セクタの夫々に付与され、前記フラグビットは、前記複数の単位セクタの夫々に設けられ、前記第２記録手段は、前記複数の単位セクタの少なくとも一部に設けられる前記フラグビットが前記第１の値に設定されたマーカを記録する。【００１６】
この態様によれば、例えば単位ブロックに含まれる複数の単位セクタの全てを有効に利用しない（言い換えれば、一部を選択的に利用する）情報記録装置であっても、上述した態様でマーカを記録することができる。その結果、上述した各種利益を好適に享受することができる。【００１７】
上述の如く、複数の単位セクタの少なくとも一部に設けられるフラグビットが第１の値に設定されたマーカを記録する情報記録装置の態様では、前記第２記録手段は、前記複数の単位セクタのうち、前記複数の単位ブロックの夫々の始端部及び終端部の夫々に位置する単位セクタに設けられる前記フラグビットが前記第１の値とは異なる第２の値に設定され且つ前記複数の単位ブロックの夫々の始端部及び終端部の夫々に位置する単位セクタ以外の単位セクタに設けられる前記フラグビットが前記第１の値に設定された前記マーカを記録するように構成してもよい。
【００１８】
このように構成すれば、例えば単位ブロックに含まれる複数の単位セクタの全てを有効に利用しない情報記録装置（例えば、後述するように、１ＥＣＣブロックに含まれる１６セクタのうち１番目のセクタ及び１６番目のセクタを利用しない情報記録装置）であっても、上述した態様でマーカを記録することができる。その結果、上述した各種利益を好適に享受することができる。【００１９】
本発明の情報記録装置の他の態様は、前記マーカは、夫々が複数の単位セクタを含む複数の単位ブロックを含んでおり、前記データエリア属性は、前記複数の単位セクタの夫々に付与され、前記フラグビットは、前記複数の単位セクタの夫々に設けられ、前記第２記録手段は、前記複数の単位セクタの夫々に設けられる前記フラグビットが前記第１の値に設定されたマーカを記録する。【００２０】
この態様によれば、例えば単位ブロックに含まれる複数の単位セクタの全てを有効に利用する情報記録装置であっても、上述した態様でマーカを記録することができる。その結果、上述した各種利益を好適に享受することができる。【００２１】
本発明の情報記録装置の他の態様は、前記第１記録手段は、前記フラグビットが前記第１の値とは異なる第２の値（例えば、“０”）に設定された前記ユーザデータを記録する。【００２２】
この態様によれば、同じデータエリア属性が付与されるユーザデータとマーカとを、フラグビットを参照することで好適に区別することができる。これにより、情報記録再生装置は、ユーザデータと共にユーザデータエリア中に記録されるマーカを好適に認識することができる。その結果、上述した各種利益を好適に享受することができる。【００２３】
本発明の情報記録装置の他の態様は、前記フラグビットは、当該情報記録装置により読み込み可能であり、且つ当該情報記録媒体に記録された前記ユーザデータを再生する再生専用型の情報再生装置により読み込み不可能であるもしくは読み込んでも無視される。【００２４】
この態様によれば、マーカを利用して記録動作を行う情報記録装置に対しては、フラグビットを参照することでマーカを好適に認識させつつ、マーカを利用しないで再生動作を行う再生専用型の情報再生装置に対しては、マーカの存在に関わらず上述したフェールセーフ機構を好適に機能させることができる。【００２５】
本発明の情報記録装置の他の態様は、前記フラグビットは、リンキングデータが記録されているか否かを少なくとも示すデータタイプビットである。【００２６】
この態様によれば、例えば情報記録媒体の一具体例であるＤＶＤ−ＲＷ等に既に規定されているデータタイプビットを上述の如く新たな用途に用いることで、新たに特別なフラグを設けることなく、上述した各種利益を享受することができる。【００２７】
本発明の情報記録装置の他の態様は、前記ユーザデータが記録される第１のエリア部分においては、前記フラグビットは、当該位置が前記ユーザデータの終端部であるか否かを示し、前記ユーザデータが記録される第１のエリア部分以外の第２のエリア部分においては、前記フラグビットは、リンキングデータが記録されているか否かを示す。【００２８】
この態様によれば、ユーザデータが記録される第１のエリア部分（例えば、ユーザデータエリアの一部又は全部）と、第１のエリア部分以外の第２のエリア部分（例えば、リードインエリアや、リードアウトエリアや、ミドルエリア等の緩衝エリア）とにおいて、フラグビットの用途を変えることができる。これにより、情報記録媒体の概ね全体において、フラグビットを有効に利用しつつ、上述した各種利益を享受することができる。【００２９】
本発明の情報記録装置の他の態様は、前記情報記録媒体は、夫々が前記ユーザデータエリアを備える第１記録層及び第２記録層を備える。【００３０】
この態様によれば、複数の記録層を備える情報記録媒体に対してユーザデータ等を記録する場合であっても、上述した各種利益を享受することができる。【００３１】
（情報記録方法）
上記課題を解決するために、本発明の情報記録方法は、情報記録媒体が備えるリードインエリアの少なくとも一部に、所定のデータを、記録されたデータがユーザデータであることを示すデータエリア属性を付与しながら記録するリードインエリア記録工程と、前記情報記録媒体が備えるユーザデータエリアに、ユーザデータを、前記データエリア属性を付与しながら記録する第１記録工程と、前記第１記録工程による前記ユーザデータの記録が完了した後、記録済みの前記ユーザデータの終端部に続けて、当該位置が記録済みの前記ユーザデータの終端部であることを示すマーカを、該マーカが記録されているか否かを少なくとも示す所定のフラグビットを第１の値に設定しつつ且つ前記データエリア属性を付与しながら記録する第２記録工程と、新たに前記ユーザデータを記録する際に、前記ユーザデータエリアの前記マーカが記録されている位置より、前記ユーザデータを記録する第３記録工程とを備える。
【００３２】
本発明の情報記録方法によれば、上述した本発明の情報記録装置が有する各種利益と同様の利益を享受することができる。【００３３】
尚、上述した本発明の情報記録装置における各種態様に対応して、本発明の情報記録方法も各種態様を採ることが可能である。【００３４】
（コンピュータプログラム）
上記課題を解決するために、本発明のコンピュータプログラムは、上述した本発明の情報記録装置（但し、各種態様を含む）に備えられたコンピュータを制御する記録制御用のコンピュータプログラムであって、該コンピュータを、前記リードインエリア記録手段、前記第１記録手段、前記第２記録手段及び前記第３記録手段として機能させる。
【００３５】
本発明のコンピュータプログラムによれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した本発明の情報記録装置を比較的簡単に実現できる。【００３６】
尚、上述した本発明の情報記録装置における各種態様に対応して、本発明のコンピュータプログラムも各種態様を採ることが可能である。【００４２】
本発明のこのような作用及び他の利得は次に説明する実施例から更に明らかにされよう。【００４３】
以上説明したように、本発明の情報記録装置によれば、リードインエリア記録手段と、第１記録手段と、第２記録手段と、第３記録手段とを備える。本発明の情報記録方法によれば、リードインエリア記録工程と、第１記録工程と、第２記録工程と、第３記録工程とを備える。本発明のコンピュータプログラムによれば、コンピュータをリードインエリア記録手段、第１記録手段、第２記録手段及び第３記録手段として機能させる。従って、例えば中間マーカ等のマーカを記録しつつ、好適な記録動作及び再生動作を維持することができる。
【図面の簡単な説明】
【００４４】
【図１】本実施例に係る光ディスクの基本構造を示した概略平面図であり、該光ディスクの概略断面図と、これに対応付けられた、その半径方向における記録領域構造の図式的概念図である。
【図２】光ディスクの概略断面図と、これに対応付けられた、その半径方向における記録領域構造の図式的概念図である。
【図３】通常フォーマット処理が施された後の光ディスク１００のデータ構造を概念的に示す説明図、及びクイックフォーマット処理が施された後の光ディスク１００のデータ構造を概念的に示す説明図である。
【図４】光ディスクの状態の遷移を概念的に示す図である。
【図５】データが記録される際に付与される属性に関連するデータ構造を概念的に示すデータ構造図である。
【図６】ＲＭＡに記録されるＲＭＤのデータ構造を概念的に示すデータ構造図である。
【図７】ＲＭＤを構成するフィールド毎のデータ構造を、フォーマット２及びフォーマット３の夫々について概念的に示すデータ構造図である。
【図８】フォーマット３のＲＭＤのフィールド０のデータ構造を示すデータ構造図である。
【図９】フォーマット３のＲＭＤのフィールド３のデータ構造を示すデータ構造図である。
【図１０】本実施例に係る情報記録再生装置の基本的な構成を概念的に示すブロック図である。
【図１１】本実施例に係る情報記録再生装置の動作によりユーザデータが記録されたときの光ディスク上の一のデータ構造を、光ディスクのエリア構造と対応付けて概念的に示す説明図である。
【図１２】比較例に係る情報記録再生装置の動作によりユーザデータが記録されたときの光ディスク上のデータ構造を、光ディスクのエリア構造と対応付けて概念的に示す説明図である。
【図１３】本実施例に係る情報記録再生装置の動作によりユーザデータが記録されたときの光ディスク上の他のデータ構造を、光ディスクのエリア構造と対応付けて概念的に示す説明図である。
【図１４】本実施例に係る情報記録再生装置の動作によりユーザデータが記録されたときの光ディスク上の他のデータ構造を、光ディスクのエリア構造と対応付けて概念的に示す説明図である。
【図１５】本実施例に係る情報記録再生装置による、ユーザデータの具体的な記録動作の一の過程を、光ディスクのエリア構造を関連付けて示す説明図である。
【図１６】本実施例に係る情報記録再生装置による、ユーザデータの具体的な記録動作の他の過程を、光ディスクのエリア構造を関連付けて示す説明図である。
【図１７】本実施例に係る情報記録再生装置による、ユーザデータの具体的な記録動作の他の過程を、光ディスクのエリア構造を関連付けて示す説明図である。
【図１８】本実施例に係る情報記録再生装置による、ユーザデータの具体的な記録動作の他の過程を、光ディスクのエリア構造を関連付けて示す説明図である。
【符号の説明】
【００４５】
１００  光ディスク
１０２  リードインエリア
１０５、１１５  ユーザデータエリア
１０６、１１６  シフテッドミドルエリア
１０８  中間マーカ
１０９、１１９  固定ミドルエリア
１１８  リードアウトエリア
２００  情報記録再生装置
３００  ディスクドライブ
３５２  光ピックアップ
３５３  信号記録再生手段
３５４、３５９  ＣＰＵ
４００  ホストコンピュータ
【発明を実施するための最良の形態】
【００４６】
以下、本発明を実施するための最良の形態について実施例毎に順に図面に基づいて説明する。【００４７】
（情報記録媒体）
初めに、図１を参照して、情報記録媒体に係る実施例としての光ディスク１００について説明を進める。ここに、図１（ａ）は、本実施例に係る光ディスク１００の基本構造を示した概略平面図であり、図１（ｂ）は、該光ディスク１００の概略断面図と、これに対応付けられた、その半径方向における記録領域構造の図式的概念図である。
【００４８】
図１（ａ）及び図１（ｂ）に示されるように、光ディスク１００は、例えば、ＤＶＤと同じく直径１２ｃｍ程度のディスク本体上の記録面に、センターホール１０１を中心として、リードインエリア（Lead-In Area）１０２又はリードアウトエリア（Lead-Out Area）１１８、ユーザデータエリア１０５及び１１５、固定ミドルエリア（Fixed Middle Area）１０９及び１１９が設けられている。そして、光ディスク１００は、透明基板１１０上に記録層等が積層されている。そして、この記録層の各記録領域には、例えば、センターホール１０１を中心にスパイラル状或いは同心円状に、例えば、グルーブトラック及びランドトラック等のトラックが交互に設けられている。また、このトラック上には、データがＥＣＣブロックという単位で分割されて記録される。ＥＣＣブロックは、記録情報がエラー訂正可能なデータ管理単位である。【００４９】
尚、本発明は、このような三つのエリアを有する光ディスクには特に限定されない。例えば、リードインエリア１０２、リードアウトエリア１１８又は固定ミドルエリア１０９（１１９）が存在せずとも、以下に説明するデータ構造等の構築は可能である。また、リードインエリア１０２、リードアウトエリア１１８又は固定ミドルエリア１０９（１１９）は更に細分化された構成であってもよい。【００５０】
特に、本実施例に係る光ディスク１００は、図１（ｂ）に示されるように、例えば、透明基板１１０に、本発明に係る第１及び第２記録層の一例を構成するＬ０層及びＬ１層が積層された構造をしている。このような２層型の光ディスク１００の記録再生時には、図１（ｂ）中、下側から上側に向かって照射されるレーザ光ＬＢの集光位置をいずれの記録層に合わせるかに応じて、Ｌ０層における各種データの記録再生が行なわれるか又はＬ１層における各種データの記録再生が行われる。特に、Ｌ０層においては内周側から外周側に向かって各種データが記録され、他方Ｌ１層においては外周側から内周側に向かって各種データが記録される。即ち、本実施例に係る光ディスク１００は、オポジットトラックパス方式の光ディスクに相当する。但し、パラレルトラックパス方式の光ディスクであっても、以下に説明する構成を採用することで、以下に述べる各種利益を享受することができる。【００５１】
また、本実施例に係る光ディスク１００は、リードインエリア１０２及びリードアウトエリア１１８の更に内周側に、ＲＭＡ（Recording Management Area：記録管理エリア）１０３（１１３）を備えている。【００５２】
ＲＭＡ１０３（１１３）は、光ディスク１００へのデータの記録を管理するためのＲＭＤ（Recording Management Data：記録管理データ）を記録するための記録エリアである。ＲＭＤのより具体的なデータ構造については、後に詳述する（図６から図９参照）。【００５３】
また、本実施例に係る光ディスク１００は、例えばＤＶＤ−ＲＷ等の如く、同一のエリア部分にデータを複数回記録可能に構成されている。具体的には、Ｌ０層及びＬ１層の夫々が備える記録膜は、例えば相変化膜を含んでおり、該相変化膜が結晶状態及び非結晶状態（アモルファス状態）との間を遷移することで、複数回のデータの記録を実現している。【００５４】
そして、本実施例に係る光ディスク１００においては、Ｌ０層とＬ１層の夫々に交互にデータを記録するレイヤージャンプ記録が採用されている。レイヤージャンプ記録について具体的に説明すると、Ｌ０層のユーザデータエリア１０５の一部の記録領域にユーザデータを記録した後、該Ｌ０層の一部の記録領域に対向するＬ１層のユーザデータエリア１１５の一部の記録領域にユーザデータを記録する。その後、Ｌ０層のユーザデータエリア１０５の他の一部の記録領域にユーザデータを記録した後、該Ｌ０層の他の一部の記録領域に対向するＬ１層のユーザデータエリア１１５の他の一部の記録領域にデータを記録する。以降は、この動作が繰り返される。【００５５】
尚、本実施例に係る光ディスク１００へのユーザデータの記録の手法は、レイヤージャンプ記録に限定されない。例えば、Ｌ０層のユーザデータエリア１０５の全体にユーザデータを記録した後に、Ｌ１層のユーザデータエリア１１５の全体にユーザデータを記録するように構成してもよい。【００５６】
また、本実施例に係る光ディスク１００は、２層片面、即ち、デュアルレイヤに限定されるものではなく、２層両面、即ちデュアルレイヤーダブルサイドであってもよい。更に、上述の如く２層の記録層を有する光ディスクに限られることなく、３層以上の多層型の光ディスクであってもよいし、１層の記録層を有するシングルレイヤーであってもよい。【００５７】
尚、固定ミドルエリア１０９（１１９）は、ユーザデータエリア１０５（１１５）の全体にデータが記録された後に、例えばＤＶＤ−ＲＯＭ等の再生専用の光ディスクと本実施例に係る光ディスク１００との互換性を図るために形成される。つまり、２層型の再生専用の光ディスク上のエリア構造と、本実施例に係る光ディスク１００上のエリア構造とを、同様にするために、固定ミドルエリア１０９（１１９）が形成される。【００５８】
加えて、固定ミドルエリア１０９（１１９）は、ユーザデータエリア１０５（１１５）の全体にユーザデータが記録された後に、記録層を変更するためのレイヤージャンプを行う際の或いは固定ミドルエリア１０９（１１９）付近へアクセスする際の、光ピックアップの未記録エリア（具体的には、固定ミドルエリア１０９（１１９）の外周側）への飛び出しを防止するための機能を有する。より具体的には、光ピックアップからレーザ光ＬＢを照射しながら光ディスク１００上をサーチしている際に、固定ミドルエリア１０９（１１９）を検出した場合には、光ピックアップを内周側に向かって移動させる。これにより、固定ミドルエリア１０９（１１９）よりも外周側のエリア部分に光ピックアップがアクセスする不都合をなくすことができる。この機能は、フェールセーフ機構と称される。【００５９】
また、リードインエリア１０２及びリードアウトエリア１１８も、固定ミドルエリア１０９（１１９）と同様に、記録層を変更するためのレイヤージャンプを行う際の或いはリードインエリア１０２やリードアウトエリア１１８付近へアクセスする際の、光ピックアップの未記録エリア（具体的には、リードインエリア１０２やリードアウトエリア１１８の内周側への飛び出しを防止するための機能を有する。より具体的には、光ピックアップからレーザ光ＬＢを照射しながら光ディスク１００上をサーチしている際に、リードインエリア１０２やリードアウトエリア１１８を検出した場合には、光ピックアップを外周側に向かって移動させる。これにより、リードインエリア１０２やリードアウトエリア１１８よりも内周側のエリア部分に光ピックアップがアクセスする不都合をなくすことができる。【００６０】
尚、ユーザデータエリア１０５（１１５）の一部にしかユーザデータが記録されていない場合には、固定ミドルエリア１０９（１１５）に代えて、シフテッドミドルエリア（shifted Middle Area）１０６（１１６）が用いられる。【００６１】
ここで、図２を参照して、シフテッドミドルエリア１０６（１１６）について説明する。ここに、図２は、該光ディスク１００の概略断面図と、これに対応付けられた、その半径方向における記録領域構造の図式的概念図である。【００６２】
図２に示すように、シフテッドミドルエリア１０６は、ユーザデータエリア１０５の一部に記録されたユーザデータに続けてユーザデータエリア１０５内に設けられる。同様に、シフテッドミドルエリア１１６は、ユーザデータエリア１１５の一部に記録されたユーザデータに続けてユーザデータエリア１１５内に設けられる。【００６３】
シフテッドミドルエリア１０６（１１６）が設けられることで、ユーザデータエリア１０５（１１５）の一部にしかユーザデータが記録されていない場合であっても、ＤＶＤ−ＲＯＭ等の再生専用の光ディスクと本実施例に係る光ディスク１００との互換性を図ることができる。加えて、レイヤージャンプを行う際の光ピックアップの、未記録エリアへの飛び出しを防止することができる。より具体的には、光ピックアップからレーザ光ＬＢを照射しながら光ディスク１００上をサーチしている際に、シフテッドミドルエリア１０６（１１６）を検出した場合には、光ピックアップを内周側に向かって移動させる。これにより、シフテッドミドルエリア１０６（１１６）よりも外周側のエリア部分に光ピックアップがアクセスする不都合をなくすことができる。また、レイヤージャンプを行わない場合であっても、光ピックアップの、シフテッドミドルエリア１０６（１１６）よりも外周側の未記録エリアへの飛び出しを防止することができる。このため、再生専用型の情報再生装置は、当該光ディスク１００に記録されたデータを再生することができる。【００６４】
つまり、シフテッドミドルエリア１０６（１１６）は、ユーザデータエリア１０５（１１５）の一部にしかユーザデータが記録されていない場合における、光ピックアップの飛び出しを防止する機能と、再生専用型の光ディスクとの互換性を保つ機能との双方を有している。特に、レイヤージャンプ記録を行う場合には、ユーザデータエリア１０５（１１５）の一部にしかデータが記録されないことが多々生じ得る。従って、シフテッドミドルエリア１０６（１１６）は、レイヤージャンプ記録を行う際に特に有効に用いられる。【００６５】
他方で、固定ミドルエリア１０９（１１９）は、ユーザデータエリア１０５（１１５）の全体にユーザデータが記録された場合における、光ピックアップの飛び出しを防止する機能と、再生専用型の光ディスクとの互換性を保つ機能との双方を有している。【００６６】
リードインエリア１０２や、リードアウトエリア１１８や、固定ミドルエリア１０９（１１９）や、シフテッドミドルエリア１０６（１１６）には、光ディスク１００に対して通常フォーマット処理が施されることで、所定のデータ（例えば、各種制御データや、“００ｈ”等のパディングデータ等）が記録される。更には、光ディスク１００には、通常フォーマット処理に加えて、必要最小限の管理情報のみを記録してからユーザデータの記録を開始するためのクイックフォーマット処理も施される。【００６７】
ここで、図３及び図４を参照して、通常フォーマット処理及びクイックフォーマット処理について具体的に説明する。ここに、図３は、通常フォーマット処理が施された後の光ディスク１００のデータ構造を概念的に示す説明図（図３（ａ））、及びクイックフォーマット処理が施された後の光ディスク１００のデータ構造を概念的に示す説明図（図３（ｂ））であり、図４は、光ディスク１００の状態の遷移を概念的に示す図である。【００６８】
図３（ａ）に示すように、通常フォーマット処理が施される場合、リードインエリア１０２にリードインエリア属性を付与しながら所定のデータを記録し、リードアウトエリア１１８にリードアウトエリア属性を付与しながら所定のデータを記録する。【００６９】
また、ユーザデータエリア１０５に記録されたユーザデータに続く記録領域に、ミドルエリア属性を付与しながら所定のデータを記録することで、シフテッドミドルエリア１０６が形成される。同様に、ユーザデータエリア１１５に記録されたユーザデータに続く記録領域に、ミドルエリア属性を付与しながら所定のデータを記録することで、シフテッドミドルエリア１１６が形成される。或いは、後述のホストコンピュータ等から要求されたフォーマットサイズに応じて、ユーザデータエリア１０５（１１５）にデータエリア属性を付与しながら所定のユーザデータを記録し、該記録されたデータに続いて、シフテッドミドルエリア１０６（１１６）を形成するように構成してもよい。【００７０】
このように通常フォーマット処理を施すことで、光ディスク１００上のエリア構成と、再生専用型の光ディスク上のエリア構成とを、概ね同一にすることができる。図３（ａ）に示す光ディスク１００の状態を、“コンプリート状態”と称する。【００７１】
他方、図３（ｂ）に示すように、クイックフォーマット処理が施される場合、リードインエリア１０２には、必要最小限のデータ（具体的には、光ディスク１００の一具体例であるＤＶＤ−ＲＷの場合、RW-Physical format information及び該RW-Physical format informationよりも外周側に記録されるべきデータ）が、データエリア属性を付与しながら記録される。この動作は、リードインエリア１０２に記録されている各種管理データを消去する或いは上書きすることで、ユーザデータエリア１０５（１１５）に記録されていたユーザデータを論理的に消去することに相当する。また、後述のホストコンピュータ等から要求されたフォーマットサイズに応じて、ユーザデータエリア１０５（或いは、１１５）に、データエリア属性を付与しながら必要に応じて所定のユーザデータを記録する。【００７２】
記録されたユーザデータ（言い換えれば、論理的に記録されたユーザデータ）に続いて、本発明における「マーカ」の一具体例を構成する中間マーカ（Intermediate Marker）１０８が形成される。中間マーカ１０８は、３２ＥＣＣブロックのサイズを有しており、記録済みのユーザデータの終端部（具体的には、ユーザデータが記録されたエリア部分の終端部であって、Ｌ０層においては外周側の端部であり、Ｌ１層においては内周側の端部）に続けて記録される。従って、クイックフォーマット処理が施された後に、ユーザの指示によりユーザデータエリア１０５（１１５）にユーザデータが記録される場合は、中間マーカ１０８が記録されている位置からユーザデータの記録を新たに開始し、該新たに記録されたユーザデータの終端部に新たな中間マーカ１０８が記録される。このため、中間マーカ１０８は、記録されたユーザデータの終端部を示すと共に、次にユーザデータを記録するエリア部分をも示している。中間マーカ１０８には、データエリア属性が付与されながら、必要に応じて所定のデータが記録される。図３（ｂ）に示す光ディスク１００の状態を、“中間状態”と称する。尚、中間マーカ１０８の具体的な記録の態様については、後に詳述する（図１０等参照）。【００７３】
中間マーカ１０８は、例えば記録されたユーザデータの終端部を検出するために用いられる。具体的には、レーザ光を照射しながら中間マーカ１０８付近をシークすることで、中間マーカ１０８と既に記録されているユーザデータとの境界を好適に認識することができる。特に、記録されたユーザデータの終端部のアドレス（ＬＲＡ：Last Recorded Address）が記録されているＲＭＤ（Recording Management Data：記録管理データ）がディフェクト等に起因して読み取ることができなかった場合に、中間マーカを利用して、ＲＭＤの内容を復旧することができる。或いは、ＲＭＤの内容は必ずしもリアルタイムに更新されるとは限らないため、中間マーカ１０８を利用すれば、既に記録されているユーザデータの終端部を高精度に認識することができる。【００７４】
加えて、中間マーカ１０８を利用して、既に記録されているユーザデータの終端部を認識することができるため、ユーザデータの記録に応じてリアルタイムにＬＲＡを更新記録する必要がなくなる。具体的には、例えば光ディスク１００の一具体例であるＤＶＤ−ＲＷであれば、ＬＲＡが示す位置と、既に記録されているユーザデータの終端部の実際の位置との間に、ユーザデータのサイズにして概ね４ＭＢのトレランスが認められている。これにより、ＬＲＡ（つまり、ＬＲＡを含むＲＭＤ）を頻繁に更新記録する必要がなくなるため、Ｌ０層及びＬ１層の夫々が備える記録膜の寿命を過度に短縮させない。【００７５】
尚、ホストコンピュータ等から要求されるフォーマットサイズは“０”であってもよい。この場合、データエリア属性が付与されながらリードインエリア１０２に記録されたデータに隣接するように、中間マーカ１０８が形成される。【００７６】
クイックフォーマット処理を施すことで、データエリア属性が付与されたユーザデータエリア１０５の一部の記録領域に、ユーザデータをランダムに上書き記録することができる。より具体的には、ユーザデータが記録されていない記録領域（言い換えれば、何の属性も付与されていない記録領域）においては、ユーザデータをシーケンシャルに（言い換えれば、Ｌ０層であれば内周側から外周側に向かって連続的に、Ｌ１層であれば外周側から内周側に向かって連続的に）記録する必要がある。つまり、次にユーザデータを記録可能な記録領域を示すＮＷＡ（Next Writable Address）が、ユーザデータが記録されていない記録領域の先頭部分を示しているため、ＮＷＡよりも外周側の記録領域においては、ＮＷＡが示す記録領域から順に（即ち、シーケンシャルに）ユーザデータを記録する必要がある。尚、ＮＷＡが示す位置は、中間マーカ１０８の始端部（具体的には、Ｌ０層であれば内周側の端部であり、Ｌ１層であれば外周側の端部）と一致し得る。しかしながら、ＮＷＡが示す位置よりも内周側に位置するデータエリア属性が付与された記録領域においては、所望の位置に（即ち、ランダムに）ユーザデータを記録することができる。このように、クイックフォーマット処理は、ＮＷＡを更新して、ユーザデータを記録可能な記録領域を拡大する機能も有しているとも言える。【００７７】
そして、クイックフォーマット処理が施された光ディスク１００は、通常フォーマット処理が行われた場合と違って、リードインエリア１０２やリードアウトエリア１１８等に、必要なデータが全て記録されていない。従って、クイックフォーマット処理を施した後には、更にファイナライズ処理（或いは、クローズ処理）が施されることで、光ディスク１００上のデータの記録の態様に応じた各種管理情報ないしは各種制御情報が、リードインエリア１０２やリードアウトエリア１１８等に記録される。更に、記録されたユーザデータに続いてシフテッドミドルエリア１０６（１１６）や固定ミドルエリア１０９（１１９）が形成されると共に、リードインエリア１０２とシフテッドミドルエリア１０６（ないしは、固定ミドルエリア１０９）との間の未記録エリア及びリードアウトエリア１１８とシフテッドミドルエリア１１６（ないしは、固定ミドルエリア１１９）との間の未記録エリアに、例えば“００ｈ”データ等のパディングデータが記録される。これにより、本実施例に係る光ディスク１００を、再生専用型の情報再生装置において再生することができる。【００７８】
尚、光ディスク１００に記録するデータのサイズによっては、Ｌ０層に記録されるデータのサイズと、Ｌ１層に記録されるデータのサイズとが同一にならない場合があり得る。具体的には、例えばＬ０層の内周側から外周側に向かってｘＧＢのデータが記録され、レイヤージャンプした後に、Ｌ１層の外周側から内周側に向かってｘ／２ＧＢのデータが記録される場合があり得る。この場合、データが既に記録されているＬ０層の記録領域に対向するＬ１層には、データが記録されていない記録領域が存在している。他方で、データを安定的に再生するという観点からは、データが既に記録されているＬ０層の記録領域に対向するＬ１層の記録領域には、何らかのデータが記録されている（言い換えれば、ミラー状態でない）必要がある。従って、データが既に記録されているＬ０層の記録領域に対向し、且つデータが記録されていないＬ１層の記録領域には、データエリア属性を付与しながら所定のデータを記録する必要がある。或いは、データが既に記録されているＬ０層の記録領域に対向し、且つデータが記録されていないＬ１層の記録領域には、リードアウトエリア属性を付与しながら所定のデータ（即ち、パディングデータ等）を記録するように構成してもよい。【００７９】
また、図３（ａ）に示すコンプリート状態の光ディスク１００に対して、シフテッドミドルエリア１０６（１１６）等にデータエリア属性を付与しながら所定のユーザデータを記録するクイックフォーマット処理を施せば、一旦コンプリート状態になった光ディスク１００に再度ユーザデータを記録することができる。このように、コンプリート状態になった光ディスク１００に再度ユーザデータを記録するために施すクイックフォーマット処理を、クイックグローフォーマット処理とも称することができる。【００８０】
図４に示すように、データが記録されていないブランクな光ディスク１００に対して通常フォーマット処理を施すことで、光ディスク１００の状態を、図３（ａ）に示すコンプリート状態に遷移させることができる。同様に、データが記録されていないブランクな光ディスク１００に対してクイックフォーマット処理を施すことで、光ディスク１００の状態を、図３（ｂ）に示す中間状態に遷移させることができる。【００８１】
コンプリート状態に遷移した光ディスク１００に通常フォーマット処理を施すことで、光ディスク１００の状態を、図３（ａ）に示すコンプリート状態のまま維持することができる。また、コンプリート状態に遷移した光ディスク１００にクイックフォーマット処理（言い換えれば、クイックグローフォーマット処理）を施すことで、光ディスク１００の状態を、図３（ｂ）に示す中間状態に遷移させることができる。【００８２】
中間状態に遷移した光ディスク１００にクイックフォーマット処理を施すことで、光ディスク１００の状態を、図３（ｂ）に示す中間状態のまま維持することができる。また、中間状態に遷移した光ディスク１００に通常フォーマット処理を施すことで、光ディスク１００の状態を、図３（ａ）に示すコンプリート状態に遷移させることができる。【００８３】
続いて、図５を参照して、データが記録される際に付与される属性について具体的に説明する。ここに、図５は、データが記録される際に付与される属性に関連するデータ構造を概念的に示すデータ構造図である。【００８４】
属性は、２４１８バイトのサイズを有する物理セクタ毎に、当該物理セクタに記録されるデータに応じて、付与される。一つの物理セクタは、５２バイトのサイズを有するシンク（ＳＹＮＣ）コードと、３０２バイトのサイズを有するＥＣＣ（Error Correction Code）と、２０４８バイトのサイズを有するデータと、４バイトのサイズを有するデータＩＤと、２バイトのサイズを有するＩＥＤと、６バイトのサイズを有するＣＰＲ＿ＭＡＩと、４バイトのサイズを有するＥＤＣとにより構成される。そして、属性は、データＩＤ中に記録される。【００８５】
具体的には、図５に示すように、４バイトのサイズを有するデータＩＤは、１バイトのサイズを有するセクタ情報（Sector Information）と、３バイトのサイズを有するセクタ番号（Sector Number）とを含んでいる。【００８６】
１バイトのサイズを有するセクタ情報は、１ビットのサイズを有するセクタフォーマットタイプ（Sector Format Type）ビットと、１ビットのサイズを有するトラッキング方法（Tracking Method）ビットと、１ビットのサイズを有する反射率（Reflectivity）ビットと、１ビットのサイズを有するリザーブドエリア（Reserved Area）と、属性を示す２ビットのサイズを有するエリアタイプ（Area type）ビットと、本発明における「フラグビット」の一具体例を構成する１ビットのサイズを有するデータタイプ（Data Type）ビットと、１ビットのサイズを有するレイヤー番号（Layer Number）ビットとを含んでいる。【００８７】
エリアタイプビットは、当該エリアタイプビットを含む物理セクタの属性を示している。具体的には、例えば、“００ｂ”が記録されていれば、物理セクタがデータエリア属性であることを示し、“０１ｂ”が記録されていれば、物理セクタがリードインエリア属性であることを示し、“１０ｂ”が記録されていれば、物理セクタがリードアウトエリア属性であることを示し、“１１ｂ”が記録されていれば、物理セクタがミドルエリア属性であることを示す。【００８８】
データタイプビット１２１は、当該データタイプビット１２１を含む物理セクタに記録されているデータのタイプを示している。具体的には、例えば“０ｈ”が記録されていれば、当該データタイプビット１２１を含む物理セクタには、更新記録可能なデータ（Re-recordable data）が記録されていることを示す。例えば、“１ｈ”が記録されていれば、当該データタイプビット１２１を含む物理セクタには、記録されるデータの境界に記録されるべきリンキングデータ（Linking data）が記録されていることを示す。【００８９】
本実施例では特に、ユーザデータエリア１０５（１１５）中においては、中間マーカ１０８が記録される物理セクタに含まれるデータタイプビット１２１には、“１ｈ”が記録される。他方、ユーザデータが記録される物理セクタに含まれるデータタイプビット１２１には、“０ｈ”が記録される。言い換えれば、ユーザデータエリア１０５（１１５）中においては、例えばデータタイプビット１２１に“０ｈ”が記録されていれば、当該データタイプビット１２１を含む物理セクタには、ユーザデータが記録されていることを示す。例えば、データタイプビット１２１に“１ｈ”が記録されていれば、当該データタイプビット１２１を含む物理セクタには、中間マーカ１０８が記録されていることを示す。このように、本実施例においては、データタイプビット１２１を参照することで、中間マーカ１０８が識別される。【００９０】
尚、ユーザデータ及び中間マーカ１０８が記録されるエリア部分（具体的には、ユーザデータエリア１０５（１１５）の一部又は全部）以外のエリア部分（例えば、リードインエリア１０２や、リードアウトエリア１１８や、固定ミドルエリア１０９（１１９）や、シフテッドミドルエリア１０６（１１６））においては、データタイプビット１２１は、更新記録可能なデータが記録されている又はリンキングデータが記録されていることを示すことが好ましい。【００９１】
続いて、図６から図９を参照して、ＲＭＡ１０３（１１３）に記録されるＲＭＤの具体的なデータ構造について説明する。ここに、図６は、ＲＭＡ１０３（１１３）に記録されるＲＭＤのデータ構造を概念的に示すデータ構造図であり、図７は、ＲＭＤを構成するフィールド毎のデータ構造を、フォーマット２及びフォーマット３の夫々について概念的に示すデータ構造図であり、図８は、フォーマット３のＲＭＤのフィールド０のデータ構造を示すデータ構造図であり、図９は、フォーマット３のＲＭＤのフィールド３のデータ構造を示すデータ構造図である。尚、以下の説明では、説明の簡略化のために、ＲＭＡ１０３について説明するが、ＲＭＡ１１３についても同様のデータ構造を有していてもよいことは言うまでもない。【００９２】
図６に示すように、ＲＭＡ１０３は、５つのＲＭＡセグメント（＃１から＃５）に分割される。各ＲＭＡセグメント（＃１から＃５）には、２８個のＲＭＤセット（＃１から＃２８）を記録することができる。各ＲＭＤセット（＃１から＃２８）には、夫々が３２ＫＢのサイズを有する５つのＲＭＤブロックを記録することができる。各ＲＭＤセット（＃１から＃２８）に記録される５つのＲＭＤブロックは、一部のフィールドを除いて同一の内容を有している。言い換えれば、同一の内容を示す５つのＲＭＤブロックが、重複的に一つのＲＭＤセットに記録される。各ＲＭＤブロックは、２ＫＢのサイズを有するリンキングロスエリア（Linking Loss Area）と、夫々が２ＫＢのサイズを有する１５個のフィールド（１から１４）を含んでいる。【００９３】
図７に示すように、本実施例に係る光ディスク１００では、フォーマット２ＲＭＤ（Format 2 RMD）とフォーマット３ＲＭＤ（Format 3 RMD）とが、ＲＭＡ１０３に記録される。フォーマット２ＲＭＤは、有効な（言い換えれば、最新の）フォーマット３ＲＭＤの位置を示すポインタの機能を有しており、フォーマット３ＲＭＤは、光ディスク１００におけるデータの記録を管理するための情報が実際に含まれる。【００９４】
具体的には、図７に示すように、フォーマット２ＲＭＤは、リンキングロスエリアと、共通情報（Common Information）と、ＲＭＤセットへのポインタ（Pointer to RMD Set）と、リザーブドエリアとを含んでいる。【００９５】
フォーマット３ＲＭＤは、リンキングロスエリアと、共通情報と、ＯＰＣ関連情報（Optimum Power Control Related Information）と、ユーザ固有データ（User Specific Data）と、記録ステータス情報（Recording Status Information）と、ディフェクトステータスビットマップ（Defect Status Bitmap）と、ドライブ固有情報（Drive Specific Information）と、ディスクテスティングエリア情報（Disc Testing Area Information）とを含んでいる。【００９６】
フォーマット２ＲＭＤは、ＲＭＤセットへのポインタにより、有効なフォーマット３ＲＭＤの位置を示すため、各ＲＭＡセグメントの先頭のＲＭＤセット＃１に記録され、フォーマット３ＲＭＤは、各ＲＭＡセグメントの先頭のＲＭＤセット＃１以外のＲＭＤセット（＃２から＃２８）に記録される。【００９７】
具体的には、ブランクな光ディスク１００に対して例えば通常フォーマット処理或いはクイックフォーマット処理を施すと、ＲＭＡセグメント＃１の先頭のＲＭＤセット＃１以外のＲＭＤセット＃２（或いは、ＲＭＤセット＃３から＃２８）に、フォーマット３ＲＭＤが記録される。そして、フォーマット３ＲＭＤが記録される位置をポイントするためのフォーマット２ＲＭＤが、ＲＭＡセグメント＃１の先頭のＲＭＤセット＃１に記録される。【００９８】
ユーザデータエリア１０５（１１５）へのデータの記録が進むにつれて、フォーマット３ＲＭＤの更新が行われる。フォーマット３ＲＭＤは、更新されるたびに或いは所定のタイミングで、同じＲＭＤセット＃２に上書き（Over Write）される。上書きが何度も行われるうちに、書換回数の上限を超えた上書きの影響で或いは傷や汚れ等の影響で、読込エラーが発生するようになる。そして、ＲＭＤセット＃２に含まれる５つのＲＭＤブロックのうち、複数のＲＭＤブロックでフォーマット３ＲＭＤを読み込むことができなくなった場合には、ＲＭＤセット＃２以外のＲＭＤセット＃３に、新たにフォーマット３ＲＭＤが記録される。この場合、フォーマット２ＲＭＤについても、フォーマット３ＲＭＤが記録される位置が変更したことに伴って更新され、ＲＭＤセット＃１に上書きされる。以降、このような動作が、ＲＭＤセット＃３から＃２８についても行われる。そして、ＲＭＡセグメント＃１の全てのＲＭＤセットについてフォーマット３ＲＭＤを読み込むことができないと判断された場合には、ＲＭＡセグメント＃２のＲＭＤセット＃２にフォーマット３ＲＭＤを新たに記録し、ＲＭＡセグメント＃２のＲＭＤセット＃１にフォーマット２ＲＭＤを新たに記録する。以降、このような動作がＲＭＡセグメント＃２から＃５についても行われる。【００９９】
また、ＲＭＡセグメント＃１のＲＭＤセット＃１に含まれる５つのＲＭＤブロックのうち、複数のＲＭＤブロックでフォーマット２ＲＭＤを読み込むことができなくなった場合には、ＲＭＡセグメント＃２を利用して、フォーマット２ＲＭＤ及びフォーマット３ＲＭＤを記録する。この場合、ＲＭＡセグメント＃１のＲＭＤセット＃２から＃２８のいずれかからフォーマット３ＲＭＤを読み込むことができたとしても、次のＲＭＡセグメント＃２を利用して、フォーマット２ＲＭＤ及びフォーマット３ＲＭＤを記録する。【０１００】
続いて、図８に示すように、フォーマット３ＲＭＤのフィールド０に記録される共通情報（即ち、フォーマット２ＲＭＤのフィールド０に記録される共通情報）は、バイトポジション“０から１”にＲＭＤフォーマット（RMD format）と、バイトポジション“２”にディスクステータス（Disc status）と、バイトポジション“４から２１”にユニークディスクＩＤ（Unique Disc ID）と、バイトポジション“２２から８５”にプリピット情報のコピー（Copy of Pre-pit Informaton）と、バイトポジション“８６から８９”に、シフテッドミドルエリアの開始セクタ番号（Start sector number of the shifted Middle area）と、バイトポジション“９０”にプリ記録／エンボス情報コード（Pre-recorded/Embossed information code）と、バイトポジション“９２から９５”にプリ記録／エンボスリードインエリアの終了アドレス（End address of pre-recorded/embossed Lead-in area）と、バイトポジション“９６から９９”にプリ記録／エンボスミドルエリア（Ｌ０層）の終了アドレス（End address of pre-recorded/embossed Middle area on Layer 0）と、バイトポジション“１００から１０３”にプリ記録／エンボスミドルエリア（Ｌ１層）の開始アドレス（Start address of pre-recorded/embossed Middle area on Layer 1）と、バイトポジション“１０４から１０７”にプリ記録／エンボスリードアウトエリアの開始アドレス（Start address of pre-recorded/embossed Lead-out area）と、バイトポジション“１２８”にＲＢＧ情報と、リザーブドエリアとを含んでいる。【０１０１】
続いて、図９に示すように、フォーマット３ＲＭＤのフィールド３に記録される記録ステータス情報は、バイトポジション“０”にフォーマットオペレーションコード（Format Operation Code）と、バイトポジション“２から５”にフォーマット情報＃１（Format Information 1）と、バイトポジション“６から９”にフォーマット情報＃２（Format Information 2）と、バイトポジション“２５６から２５７”にラストＲＺｏｎｅ番号（Last RZone Number）と、バイトポジション“２５８から２６１”にＲＺｏｎｅの開始セクタ番号（Start sector number of RZone）と、バイトポジション“２６２から２６５”にＲＺｏｎｅの終了セクタ番号（End sector number of RZone）と、バイトポジション“５１２から５１５”にＬ０層のレイヤージャンプアドレス（ＬＪＡ：Layer Jump address on Layer 0）と、バイトポジション“５１６から５１９”に最終記録アドレス（ＬＲＡ：Last Recorded Address）と、バイトポジション“５２０から５２３”にＬ０層の前回レイヤージャンプアドレス（ＰＬＪＡ：Previous Layer jump address on Layer 0）と、バイトポジション“５２４から５２５”にジャンプインターバル（Jump interval）と、バイトポジション“５２８から５３１”にＬ０層のフォーマットエリアの最外周アドレス（Outermost address of the formatted area on Layer 0）と、バイトポジション“５３２から５３５”にＬ１層の最内周フォーマットエリアの最外周アドレス（Outermost address of the innermost-formatted area on Layer 1）と、バイトポジション“５３６から５３９”にＬ１層の最内周記録済エリアの最外周アドレス（Outermost address of the innermost-recorded area on Layer 1）と、リザーブドエリアとを含んでいる。【０１０２】
（情報記録再生装置）
（１）  基本構成
続いて、図１０を参照して、本発明の情報記録装置に係る実施例としての情報記録再生装置２００について説明する。ここに、図１０は、本実施例に係る情報記録再生装置２００の基本的な構成を概念的に示すブロック図である。尚、情報記録再生装置２００は、光ディスク１００にデータを記録する機能と、光ディスク１００に記録されたデータを再生する機能とを備える。【０１０３】
図１０に示すように、情報記録再生装置２００は、実際に光ディスク１００がローディングされ且つデータの記録やデータの再生が行なわれるディスクドライブ３００と、該ディスクドライブ３００に対するデータの記録及び再生を制御するパーソナルコンピュータ等のホストコンピュータ４００とを備えている。【０１０４】
ディスクドライブ３００は、光ディスク１００、スピンドルモータ３５１、光ピックアップ３５２、信号記録再生手段３５３、ＣＰＵ（ドライブ制御手段）３５４、メモリ３５５データ入出力制御手段３０６、及びバス３５７を備えて構成されている。また、ホストコンピュータ４００は、ＣＰＵ３５９、メモリ３６０、操作／表示制御手段３０７、操作ボタン３１０、表示パネル３１１、及びデータ入出力制御手段３０８を備えて構成される。【０１０５】
スピンドルモータ３５１は光ディスク１００を回転及び停止させるもので、光ディスク１００へのアクセス時に動作する。より詳細には、スピンドルモータ３５１は、図示しないサーボユニット等によりスピンドルサーボを受けつつ所定速度で光ディスク１００を回転及び停止させるように構成されている。【０１０６】
光ピックアップ３５２は、光ディスク１００への記録再生を行うために、例えば図示しない半導体レーザ素子と、コリメータレンズ及び対物レンズ等から構成される。より詳細には、光ピックアップ３５２は、光ディスク１００に対してレーザービーム等の光ビームを、再生時には読み取り光として第１のパワーで照射し、記録時には書き込み光として第２のパワーで且つ変調させながら照射する。【０１０７】
信号記録再生手段３５３は、ＣＰＵ３５４の制御を受けながらスピンドルモータ３５１と光ピックアップ３５２を制御することで、光ディスク１００に対して記録再生を行う。より具体的には、信号記録再生手段３５３は、例えば、レーザダイオードドライバ（ＬＤドライバ）及びヘッドアンプ等によって構成されている。レーザダイオードドライバは、例えば駆動パルスを生成し、光ピックアップ３５２内に設けられた半導体レーザ素子１１１を駆動する。ヘッドアンプは、光ピックアップ３５２の出力信号、即ち、光ビームの反射光を増幅し、該増幅した信号を出力する。【０１０８】
メモリ３５５は、記録再生データのバッファ領域や、信号記録再生手段３５３で使用出来るデータに変換する時の中間バッファとして使用される領域などディスクドライブ３００におけるデータ処理全般及びＯＰＣ処理において使用される。また、メモリ３５５はこれらレコーダ機器としての動作を行うためのプログラム、即ちファームウェアが格納されるＲＯＭ領域と、記録再生データの一時格納用バッファや、ファームウェアプログラム等の動作に必要な変数が格納されるＲＡＭ領域などから構成される。【０１０９】
ＣＰＵ（ドライブ制御手段）３５４は、信号記録再生手段３５３及びメモリ３５５と、バス３５７を介して接続され、各種制御手段に指示を行うことで、ディスクドライブ３００全体の制御を行う。通常、ＣＰＵ３５４が動作するためのソフトウェア又はファームウェアは、メモリ３５５に格納されている。【０１１０】
データ入出力制御手段３０６は、ディスクドライブ３００に対する外部からのデータ入出力を制御し、メモリ３５５上のデータバッファへの格納及び取り出しを行う。ディスクドライブ３００とＳＣＳＩや、ＡＴＡＰＩなどのインタフェースを介して接続されている外部のホストコンピュータ４００から発行されるドライブ制御命令は、データ入出力制御手段３０６を介してＣＰＵ３５４に伝達される。また、記録再生データも同様にデータ入出力制御手段３０６を介して、ホストコンピュータ４００とやり取りされる。【０１１１】
操作／表示制御手段３０７はホストコンピュータ４００に対する動作指示受付と表示を行うもので、例えば記録又は再生といった操作ボタン３１０による指示をＣＰＵ３５９に伝える。ＣＰＵ３５９は、操作／表示制御手段３０７からの指示情報を元に、データ入出力手段３０８を介して、ディスクドライブ３００に対して制御命令（コマンド）を送信し、ディスクドライブ３００全体を制御する。同様に、ＣＰＵ３５９は、ディスクドライブ３００に対して、動作状態をホストに送信するように要求するコマンドを送信することができる。これにより、記録中や再生中といったディスクドライブ３００の動作状態が把握できるためＣＰＵ３５９は、操作／表示制御手段３０７を介して蛍光管やＬＣＤなどの表示パネル３１１にディスクドライブ３００の動作状態を出力することができる。【０１１２】
メモリ３６０は、ホストコンピュータ４００が使用する内部記憶装置であり、例えばＢＩＯＳ（Basic Input／Output System)等のファームウェアプログラムが格納されるＲＯＭ領域、オペレーティングシステムや、アプリケーションプログラム等の動作に必要な変数等が格納されるＲＡＭ領域などから構成される。また、データ入出力制御手段３０８を介して、図示しないハードディスク等の外部記憶装置に接続されていてもよい。【０１１３】
以上説明した、ディスクドライブ３００とホストコンピュータ４００を組み合わせて使用する一具体例は、映像を記録再生するレコーダ機器等の家庭用機器である。このレコーダ機器は放送受信チューナや外部接続端子からの映像信号をディスクに記録し、テレビなど外部表示機器にディスクから再生した映像信号を出力する機器である。メモリ３６０に格納されたプログラムをＣＰＵ３５９で実行させることでレコーダ機器としての動作を行っている。また、別の具体例では、ディスクドライブ３００はディスクドライブ（以下、適宜ドライブと称す）であり、ホストコンピュータ４００はパーソナルコンピュータやワークステーションである。パーソナルコンピュータ等のホストコンピュータとドライブはＳＣＳＩやＡＴＡＰＩといったデータ入出力制御手段３０６及び３０８を介して接続されており、ホストコンピュータ４００にインストールされているライティングソフトウェア等のアプリケーションが、ディスクドライブ３００を制御する。【０１１４】
（２）  動作原理
続いて、図１１から図１４を参照して、本実施例に係る情報記録再生装置２００の動作原理について説明する。ここに、図１１は、本実施例に係る情報記録再生装置２００の動作によりユーザデータが記録されたときの光ディスク１００上の一のデータ構造を、光ディスク１００のエリア構造と対応付けて概念的に示す説明図であり、図１２は、比較例に係る情報記録再生装置２００の動作によりユーザデータが記録されたときの光ディスク１００上のデータ構造を、光ディスク１００のエリア構造と対応付けて概念的に示す説明図であり、図１３は、本実施例に係る情報記録再生装置２００の動作によりユーザデータが記録されたときの光ディスク１００上の他のデータ構造を、光ディスク１００のエリア構造と対応付けて概念的に示す説明図であり、図１４は、本実施例に係る情報記録再生装置２００の動作によりユーザデータが記録されたときの光ディスク１００上の他のデータ構造を、光ディスク１００のエリア構造と対応付けて概念的に示す説明図である。【０１１５】
図１１に示すように、本発明における「第１記録手段」の一具体例を構成するＣＰＵ３５４或いは３５９の制御の下に、ユーザデータエリア１０５にユーザデータが記録される。その後、本発明における「第２記録手段」の一具体例を構成するＣＰＵ３５４或いは３５９の制御の下に、記録されたユーザデータに続いて、ユーザデータに付与される属性と同じデータエリア属性が付与された中間マーカ１０８が記録される。【０１１６】
中間マーカ１０８は、３２個のＥＣＣブロックを有するエリア部分に記録され、各ＥＣＣブロックは、１６個の物理セクタを有している。本実施例では特に、中間マーカ１０８が記録されるエリア部分が有する３２個のＥＣＣブロックの夫々において、１番目の物理セクタ及び１６番目の物理セクタを除く２番目から１５番目の物理セクタに含まれるデータタイプビット１２１に、“１ｈ”が記録される。他方、１番目の物理セクタ及び１６番目の物理セクタに含まれるデータタイプビット１２１に、“０ｈ”が記録される。【０１１７】
尚、ユーザデータが記録されるエリア部分が有する物理セクタに含まれるデータタイプビット１２１には、“０ｈ”が記録される。【０１１８】
このように、中間マーカ１０８が記録される物理セクタに含まれるデータタイプビット１２１に“１ｈ”が記録され且つユーザデータが記録される物理セクタに含まれるデータタイプビット１２１に０ｈ“が記録されることにより、情報記録再生装置２００は、記録されるデータがユーザデータであるか否か及び中間マーカ１０８であるか否かを好適に認識することができる。このため、中間マーカ１０８を利用して、記録済みのユーザデータの終端部を好適に認識することができる。つまり、本実施例においては、データタイプビット１２１を用いて中間マーカ１０８とユーザデータとを区別することができる。その結果、本実施例に係る情報記録再生装置２００により記録される中間マーカ１０８は、中間マーカ１０８としての機能を好適に発揮することができる。【０１１９】
そして、ユーザデータの属性と同じデータエリア属性を中間マーカ１０８に対して付与しているため、中間マーカ１０８としての機能を好適に果たしつつも、例えば中間マーカ１０８を検出することで、当該中間マーカ１０８がリードアウトエリア１１８等であると誤認識してしまうおそれがなくなる。【０１２０】
ここで、中間マーカ１０８とユーザデータとを区別するためにエリアタイプビットを用いる比較例について説明する。図１２に示すように、比較例においては、中間マーカ１０８は、リードアウトエリア属性が付与されながら、記録済みのユーザデータの終端部に記録される。つまり、ユーザデータエリア１０５（１１５）中には、リードアウト属性が付与された中間マーカ１０８が存在することになる。このとき、光ディスク１００に記録されるユーザデータを再生する再生専用型の情報再生装置は、光ディスク１００上のサーチを行っている途中でリードインエリア１０２や、リードアウトエリア１１８や、固定ミドルエリア１０９（１１９）や、シフテッドミドルエリア１０６（１１６）等の緩衝エリアを検出すると、該緩衝エリアから抜け出すフェールセーフ機構を機能させる。このため、中間マーカ１０８がリードアウトエリア１１８であると誤認識してしまい、光ディスク１００上に記録されたユーザデータを好適に再生することができない不都合が生じえる。【０１２１】
特に、上述のクイックフォーマット処理が複数回行われれば、複数の中間マーカ１０８が（具体的には、クイックフォーマット処理が行われる前に記録されていた古い中間マーカ１０８と、クイックフォーマット処理が行われた後に新たに記録された新しい中間マーカ１０８とが）光ディスク１００上に並存し得る。この場合には、上述の不都合は更に顕著なものとなり得る。【０１２２】
しかるに、本実施例によれば、図１３に示すように、中間マーカ１０８は、データエリア属性が付与されながら記録されるため、中間マーカ１０８がリードアウトエリア１１８であると誤認識する恐れがなくなる。これにより、ユーザデータエリア１０５（１１５）中においてフェールセーフ機構が誤って機能する不都合もなくなる。言い換えれば、再生専用型の情報再生装置は、リードインエリア１０２や、リードアウトエリア１１８や、固定ミドルエリア１０９（１１９）や、シフテッドミドルエリア１０６（１１６）を用いて、好適にフェールセーフ機構を機能させることができる。更に、データタイプビット１２１は、再生専用型の情報再生装置には読み込まれない（言い換えれば、読み込み不可能なビットである）ため、中間マーカ１０８がユーザデータエリア１０５（１１５）中に記録されていたとしても、ユーザデータの再生に影響を与えることはない。【０１２３】
このように、中間マーカ１０８に対してデータエリア属性以外の属性を付与していないため、中間マーカ１０８がユーザデータエリア１０５（１１５）中に記録されたとしても、当該中間マーカ１０８を検出することで本来意図しない動作が実行される不都合を好適に回避することができる。それでいて、光ディスク１００にユーザデータを記録可能な情報記録再生装置２００は、データタイプビット１２１を参照することで、中間マーカ１０８を好適に認識することができる。その結果、ＲＭＤがディフェクト等に起因して読み取ることができなくなったときにも、中間マーカ１０８を利用して、ＲＭＤの内容（より具体的には、ＬＲＡ等）を確実に復旧することができるという大きな利点を享受することができる。【０１２４】
そして、光ディスク１００上に複数の中間マーカ１０８が並存する場合であっても、当該中間マーカ１０８を検出することで本来意図しない動作が実行される不都合を好適に回避することができるため、例えばクイックフォーマット処理の都度、中間マーカ１０８を消去する必要がないという利点も享受することができる。これは、情報記録再生装置２００の動作負荷を低減させることができるという利点につながる。更に、中間マーカ１０８を消去する必要がないという利点は、情報記録再生装置２００に発生し得る異常動作（例えば、電源断等）によって、中間マーカ１０８が意図せずして光ディスク１００上に残ってしまっている場合においても同様に享受することができる利点である。【０１２５】
以上まとめると、本実施例によれば、例えば中間マーカ１０８を記録しつつ、好適な記録動作及び再生動作を維持することができる。【０１２６】
尚、図１１を用いて説明した実施例では、中間マーカ１０８が記録されるエリア部分が有する３２個のＥＣＣブロックの夫々において、２番目から１５番目の物理セクタに含まれるデータタイプビット１２１に、“１ｈ”が記録され、１番目の物理セクタ及び１６番目の物理セクタに含まれるデータタイプビット１２１に、“０ｈ”が記録される。しかしながら、図１４に示すように、中間マーカ１０８が記録されるエリア部分が有する３２個のＥＣＣブロックの夫々において、全ての物理セクタ（即ち、１番目から１６番目の物理セクタ）に含まれるデータタイプビット１２１に、“１ｈ”が記録されるように構成してもよい。このように構成しても、上述した各種利益を享受することができる。【０１２７】
但し、現在市場に流通している情報記録再生装置の中には、各ＥＣＣブロックのうち、２番目から１５番目の物理セクタに含まれるデータタイプビット１２１のみを参照し、１番目の物理セクタ及び１６番目の物理セクタに含まれるデータタイプビット１２１を参照しないものが存在する。従って、このような情報記録再生装置に対しても上述した利益を享受させるためには、中間マーカ１０８が記録されるエリア部分が有する３２個のＥＣＣブロックの夫々において、２番目から１５番目の物理セクタに含まれるデータタイプビット１２１に、“１ｈ”が記録され、１番目の物理セクタ及び１６番目の物理セクタに含まれるデータタイプビット１２１に、“０ｈ”が記録されることが好ましい。【０１２８】
加えて、中間マーカ１０８が記録されるエリア部分が有する３２個のＥＣＣブロックの夫々において、ｎ（但し、１≦ｎ≦１６）個の物理セクタに含まれるデータタイプビット１２１に、“１ｈ”が記録され、上記ｎ個の物理セクタを除く１６−ｎ個の物理セクタに含まれるデータタイプビット１２１に、“０ｈ”が記録されるように構成してもよいことは言うまでもない。要は、データタイプビット１２１に“０ｈ”が記録されるユーザデータと、中間マーカ１０８とを、データタイプビット１２１を参照することで区別することができれば足りる。このため、中間マーカ１０８が記録される複数の物理セクタから、データタイプビット１２１に“１ｈ”を記録する物理セクタを選択する態様は上記に限定されないことは言うまでもない。【０１２９】
（３）ユーザデータの記録の具体的態様
続いて、図１５から図１８を参照して、本実施例に係る情報記録再生装置２００による、ユーザデータの記録動作の具体的な態様について説明する。ここに、図１５は、本実施例に係る情報記録再生装置２００による、ユーザデータの具体的な記録動作の一の過程を、光ディスク１００のエリア構造を関連付けて示す説明図であり、図１６は、本実施例に係る情報記録再生装置２００による、ユーザデータの具体的な記録動作の他の過程を、光ディスク１００のエリア構造を関連付けて示す説明図であり、図１７は、本実施例に係る情報記録再生装置２００による、ユーザデータの具体的な記録動作の他の過程を、光ディスク１００のエリア構造を関連付けて示す説明図であり、図１８は、本実施例に係る情報記録再生装置２００による、ユーザデータの具体的な記録動作の他の過程を、光ディスク１００のエリア構造を関連付けて示す説明図である。【０１３０】
図１５に示すように、初めに、ブランクな光ディスク１００に対して、フォーマットサイズをユーザデータエリア１０５（１１５）のサイズと同じくした通常フォーマット処理が行われる。【０１３１】
続いて、図１５に示す状態の光ディスク１００に対してクイックフォーマット処理が行われることで、図１６に示すように、リードインエリア１０２の一部に所定のデータが記録され且つユーザデータエリア１０５の内周側の端部に中間マーカ１０８が記録される。ユーザデータエリア１０５の内周側の端部の物理アドレス（ＰＳＮ：Physical Sector Number）は、“３００００ｈ”にて示される。【０１３２】
より具体的には、クイックフォーマット処理が行われる際には、ＲＭＡ１０３（１１３）に記録されるＲＭＤ中に含まれるディスクステータス（図８参照）には、光ディスク１００が中間状態である（より具体的には、最後のボーダーエリアがリストリクテッドオーバーライトモードの中間状態にある）ことを示す“１３ｈ”が記録される。更に、ＲＺｏｎｅの開始セクタ番号（図９参照）には、“３００００ｈ”が記録され、ＲＺｏｎｅの終了セクタ番号（図９参照）には、“３００００ｈ”が記録され、ＬＲＡ（図９参照）には、“０ｈ”が記録され、ＬＪＡ及びＰＬＪＡ（図９参照）の夫々には、“０ｈ”が記録される。【０１３３】
このように、クイックフォーマット処理は、光ディスク１００上に記録されたデータを管理するＲＭＤを更新することで、光ディスク１００上に記録されたデータを論理的に消去する動作である。このため、図１６に示すように、クイックフォーマット処理が行われた後も、光ディスク１００の全体には、論理的には消去されている所定のデータが物理的に（即ち、記録マークないしは記録ピットとして）記録されている。【０１３４】
続いて、図１６に示す状態の光ディスク１００に対して所定のユーザデータが記録される。例えば、図１７に示すように、物理アドレスが“３００００ｈ”から“３ＦＦＦＦｈ”にて示されるＬ０層のエリア部分に１ＧＢのユーザデータが記録され、その後レイヤージャンプを行った後に、物理アドレスが“４ＦＦ８０ｈ”から“５７Ｆ７Ｆｈ”にて示されるＬ１層のエリア部分に０．５ＧＢのユーザデータが記録される。そして、Ｌ１層に記録されたユーザデータに続けて、中間マーカ１０８が記録される。【０１３５】
このとき、ＲＭＡ１０３（１１３）に記録されるＲＭＤ中に含まれるＬＲＡ及びＲＺｏｎｅの終了セクタ番号の夫々には、“５７Ｆ７Ｆｈ”が記録される。更に、ＬＪＡ及びＰＬＪＡの夫々には、“０ｈ”が記録される。【０１３６】
続いて、図１７に示す状態の光ディスク１００に対して、互換化処理（或いは、クローズ処理ないしはファイナライズ処理）が行われる。その結果、図１８に示すように、Ｌ０層及びＬ１層の夫々に記録されたユーザデータに続けて、シフテッドミドルエリア１０６（１１６）が形成される。【０１３７】
互換化処理が行われる際には、ＲＭＡ１０３（１１３）に記録されるＲＭＤ中に含まれるディスクステータスには、光ディスク１００がコンプリート状態である（より具体的には、光ディスク１００がリストリクテッドオーバーライトモードにある）ことを示す“１２ｈ”が記録される。更に、ＲＺｏｎｅの終了セクタ番号には、“８．５４ＧＢ（より具体的には、光ディスク１００に８．５４ＧＢのユーザデータを記録したときの、該ユーザデータの終端部のアドレス）”が記録され、ＬＲＡ（図９参照）には、“０ｈ”が記録される。加えて、リードインエリア１０２内に記録されるＲＷ−フォーマット物理情報（RW Format Physical Information）に含まれるユーザデータエリアの終了物理セクタ番号（End PSN of Data Area）には、“８．５４ＧＢ（より具体的には、光ディスク１００に８．５４ＧＢのユーザデータを記録したときの、該ユーザデータの終端部のアドレス）”が記録され、ミドルエリアの物理セクタ番号（PSN of Middle Area）には、“４７ＦＣ０ｈ”が記録される。【０１３８】
このとき、光ディスク１００は、既にその全面に所定のデータが物理的に記録された状態にある。従って、互換化処理の際にパディングデータ等を記録する必要がない。また、上述したように、中間マーカ１０８を消去する必要もない。このため、互換化処理に要する時間を相対的に短縮させることができる。【０１３９】
尚、上述の実施例では、情報記録媒体の一例として光ディスク１００及び情報記録装置の一例として光ディスク１００に係るレコーダについて説明したが、本発明は、光ディスク及びそのレコーダに限られるものではなく、他の高密度記録或いは高転送レート対応の各種情報記録媒体並びにそのレコーダにも適用可能である。【０１４０】
本発明は、上述した実施例に限られるものではなく、請求の範囲及び明細書全体から読み取れる発明の要旨或いは思想に反しない範囲で適宜変更可能であり、そのような変更を伴なう情報記録装置及び方法、並びにコンピュータプログラムもまた本発明の技術的範囲に含まれるものである。
【産業上の利用可能性】
【０１４１】
本発明に係る情報記録装置及び方法、並びにコンピュータプログラムは、例えばＤＶＤレコーダ等の情報記録装置に利用可能である。また、例えば民生用或いは業務用の各種コンピュータ機器に搭載される又は各種コンピュータ機器に接続可能な情報記録装置等にも利用可能である。
【図１】
0004726246.tif 000002
【図２】
0004726246.tif 000003
【図３】
0004726246.tif 000004
【図４】
0004726246.tif 000005
【図５】
0004726246.tif 000006
【図６】
0004726246.tif 000007
【図７】
0004726246.tif 000008
【図８】
0004726246.tif 000009
【図９】
0004726246.tif 000010
【図１０】
0004726246.tif 000011
【図１１】
0004726246.tif 000012
【図１２】
0004726246.tif 000013
【図１３】
0004726246.tif 000014
【図１４】
0004726246.tif 000015
【図１５】
0004726246.tif 000016
【図１６】
0004726246.tif 000017
【図１７】
0004726246.tif 000018
【図１８】
0004726246.tif 000019